(57)【特許請求の範囲】
【請求項１】
嵌合し合う一方及び他方の二つのコネクタから成り、一方のコネクタは、共に可撓性を有するメス側嵌合ロック部とメス側慣性ロック部とを備え、他方のコネクタは、前記メス側嵌合ロック部が嵌合するオス側嵌合ロック部と前記メス側慣性ロック部が嵌合するオス側慣性ロック部とを備え、前記メス側嵌合ロック部には、前記オス側嵌合ロック部への嵌合用の第一ロックと押下により該第一ロックの位置を変位させてコネクタ嵌合を解除する押さえ部とを形成するとともに、前記メス側慣性ロック部には、前記メス側嵌合ロック部とは別に独立して撓むロックアームと該ロックアームに設けられる嵌合用の第二ロックとを形成し、且つ、前記オス側嵌合ロック部には、前記第一ロックが突き当たった後又は前記押さえ部の押下により前記第一ロックが嵌合する第三ロックを形成するとともに、前記オス側慣性ロック部には、前記ロックアームが上面を摺接する突条と前記第二ロックが突き当たった後に嵌合する第四ロックとを形成したことを特徴とする慣性ロック式コネクタ。
【請求項２】
請求項１に記載の慣性ロック式コネクタにおいて、
前記第二ロックと前記第四ロックとにコネクタ嵌合の解除時や前記ロックアームの復元時に摺接する斜面をそれぞれ形成したことを特徴とする慣性ロック式コネクタ。
【請求項３】
請求項１又は請求項２に記載の慣性ロック式コネクタにおいて、
前記第一ロックと前記第三ロックとの突き当たりよりも先に突き当たる位置に前記第二ロックと前記第四ロックとをそれぞれ形成したことを特徴とする慣性ロック式コネクタ。
【発明の詳細な説明】
【０００１】
【発明の属する技術分野】
本発明は、突き当たりにより慣性力を生じさせ、その後ロックされる慣性ロック式コネクタに関する。
【０００２】
【従来の技術】
この種のコネクタは、いわゆる慣性ロックと呼ばれる機構を有している。その機構は、コネクタ同士の嵌合過程において、コネクタのある域に一時的に嵌合抵抗を生じさせ、これに打ち勝って上記ある域を通過したときには、嵌合抵抗の緩和により作業者に節度感を与え、また、通過時の勢いによって二つのコネクタが正規の嵌合状態に至る構成を有している。このような慣性ロック式コネクタとしては、以下で説明するような特開平９−２９３５６６号公報に開示されるものが知られている。
【０００３】
図８又は図９において、引用符号１は電気機器２に設けられる雄コネクタを示している。また、引用符号３は雄コネクタ１に嵌合する雌コネクタを示している。雄コネクタ１は、電気機器２に連成されるコネクタハウジング４と、複数（一つのみ図示）の雄端子５とを備えている。雄端子５は、コネクタハウジング４に形成される嵌合部６内に突出するように設けられている。嵌合部６の外側、即ちコネクタハウジング４の外面には、オス側慣性ロック部７が形成されている。オス側慣性ロック部７は、爪状のオス側ロック８を有している。
【０００４】
雌コネクタ３は、雄コネクタ１のコネクタハウジング４に嵌合するコネクタハウジング９と、そのコネクタハウジング９に収容される複数（一つのみ図示）の雌端子１０とを備えている。雌端子１０は、コネクタハウジング９に形成される端子収容室１１に収容されており、端子収容室１１の前端面に形成される開口を介してコネクタ嵌合の際に雄端子５と電気的に接続されるようになっている。
【０００５】
コネクタハウジング９は、雄コネクタ１の嵌合部６に対応する嵌合部１２を有しており、そこにはオス側慣性ロック部７に嵌合するメス側慣性ロック部１３が形成されている。メス側慣性ロック部１３は、可撓性を有するロックアーム１４を有しており、その前端部分には爪状のメス側ロック１５が、また、後端部分には押さえ部１６が形成されている。押さえ部１６は、コネクタ嵌合を解除するために形成されている。
【０００６】
上記構成において、コネクタ嵌合の際にはオス側ロック８にメス側ロック１５が突き当たるようになる。この時、突き当たり部分に嵌合抵抗が生じこれに打ち勝つように雌コネクタ３を押し込めばオス側ロック８とメス側ロック１５とがロックされるようになる（図９参照）。言い換えれば、慣性力が生じてその慣性力によりオス側ロック８とメス側ロック１５とが嵌合し合いロックされるようになる。
【０００７】
一方、押さえ部１６を押下するとメス側ロック１５の位置が変位し、コネクタ嵌合が解除されるようになる。
【０００８】
【発明が解決しようとする課題】
ところで上記従来技術にあっては、図９から明らかなように、中間部で支持された片持ち状のロックアーム１４の押さえ部１６を押下した状態で雌コネクタ３を雄コネクタ１に嵌合させると、前記押さえ部１６の先端側に位置するメス側ロック１５は持ち上げられている状態となっていることから、オス側ロック８に突き当たらないので慣性力を得ることができず、半嵌合を引き起こしてしまう恐れがあった。
【０００９】
押さえ部１６を押下した状態では、コネクタ嵌合時の節度感が得られないので気がつくかもしれないが、作業者が完全に嵌合したものと勘違いしていれば半嵌合は引き起こるものと考えられる。
【００１０】
本発明は、上述した事情に鑑みてなされるもので、コネクタ嵌合時に慣性力を確実に得られるようにして半嵌合を防止する慣性ロック式コネクタを提供することを課題とする。
【００１１】
【課題を解決するための手段】
上記課題を解決するためなされた請求項１記載の本発明の慣性ロック式コネクタは、嵌合し合う一方及び他方の二つのコネクタから成り、一方のコネクタは、共に可撓性を有するメス側嵌合ロック部とメス側慣性ロック部とを備え、他方のコネクタは、前記メス側嵌合ロック部が嵌合するオス側嵌合ロック部と前記メス側慣性ロック部が嵌合するオス側慣性ロック部とを備え、前記メス側嵌合ロック部には、前記オス側嵌合ロック部への嵌合用の第一ロックと押下により該第一ロックの位置を変位させてコネクタ嵌合を解除する押さえ部とを形成するとともに、前記メス側慣性ロック部には、前記メス側嵌合ロック部とは別に独立して撓むロックアームと該ロックアームに設けられる嵌合用の第二ロックとを形成し、且つ、前記オス側嵌合ロック部には、前記第一ロックが突き当たった後又は前記押さえ部の押下により前記第一ロックが嵌合する第三ロックを形成するとともに、前記オス側慣性ロック部には、前記ロックアームが上面を摺接する突条と前記第二ロックが突き当たった後に嵌合する第四ロックとを形成したことを特徴としている。
【００１２】
請求項２記載の本発明の慣性ロック式コネクタは、請求項１に記載の慣性ロック式コネクタにおいて、前記第二ロックと前記第四ロックとにコネクタ嵌合の解除時や前記ロックアームの復元時に摺接する斜面をそれぞれ形成したことを特徴としている。
【００１３】
請求項３記載の本発明の慣性ロック式コネクタは、請求項１又は請求項２に記載の慣性ロック式コネクタにおいて、前記第一ロックと前記第三ロックとの突き当たりよりも先に突き当たる位置に前記第二ロックと前記第四ロックとをそれぞれ形成したことを特徴としている。
【００１４】
請求項１に記載された本発明によれば、嵌合し合う二つのコネクタのうちの一方のコネクタは、共に可撓性を有するメス側嵌合ロック部とメス側慣性ロック部とを備えている。また、他方のコネクタは、メス側嵌合ロック部が嵌合するオス側嵌合ロック部とメス側慣性ロック部が嵌合するオス側慣性ロック部とを備えている。コネクタ嵌合を解除するための押さえ部は、メス側嵌合ロック部に形成されていることから、押さえ部を押下した状態でコネクタ嵌合をしても、メス側慣性ロック部とオス側慣性ロック部との作用で慣性力が得られるようになる。
【００１５】
請求項２に記載された本発明によれば、コネクタ嵌合の解除時にスムーズに嵌合が解除されるようになる。また、ロックアームの復元時には、慣性力が第四ロックの斜面に掛かり、一方のコネクタが正規の嵌合状態の方向へ移動しやすくなる。
【００１６】
請求項３に記載された本発明によれば、コネクタ嵌合時に嵌合抵抗が大きくなってしまうことはない。ロックアームの復元時には、慣性力によって第一ロックと第三ロックとの嵌合が促進されるようになる。
【００１７】
【発明の実施の形態】
以下、図面を参照して本発明の一実施の形態を説明する。
図１は本発明の慣性ロック式コネクタの一実施の形態を示す斜視図である。また、図２はメス側嵌合ロック部及びメス側慣性ロック部と、オス側嵌合ロック部及びオス側慣性ロック部との嵌合前の状態を示す拡大斜視図、図３はコネクタ嵌合開始時の断面図である。
【００１８】
図１において、引用符号２１は例えば図示しない電気機器に一体に設けられる雄コネクタを示している。また、引用符号２２は雄コネクタ２１に嵌合する雌コネクタを示している。これら嵌合し合う二つのコネクタ（雄コネクタ２１及び雌コネクタ２２）は、慣性ロック式コネクタと呼ばれ、後述するがコネクタ嵌合時に慣性力が確実に得られるように構成されている。雄コネクタ２１は特許請求の範囲に記載した他方のコネクタに、また、雌コネクタ２２は特許請求の範囲に記載した一方のコネクタに相当する。
【００１９】
以下、図１から図３のいずれかを参照し上記構成について説明する。
【００２０】
上記雄コネクタ２１は、電気機器（不図示）に連成されるコネクタハウジング２３と、複数の雄端子２４（図３参照、一つのみ図示）とを備えている。コネクタハウジング２３は、絶縁性を有する合成樹脂材により成形されており、雌コネクタ２２に対する嵌合部２５を有している。嵌合部２５は、コネクタハウジング２３の周壁２６と奥壁２７とで区画形成されている。コネクタハウジング２３は、嵌合部２５を有することで有底の筒状に形成されている。周壁２６は、開口縁にテーパ（引用符号は省略。後述のパッキン４０を拾う）を有するとともに略小判状の外形に形成されており、その上面にはオス側嵌合ロック部２８とオス側慣性ロック部２９とが形成されている。
【００２１】
尚、本明細書中及び図面において、オス側嵌合ロック部２８及びオス側慣性ロック部２９が形成される側を上と定義する。また、その反対側を下と定義する。さらに、上下方向に直交する方向（雌コネクタ２２の嵌合方向ではない）の一方を左、他方を右と定義する。また、雌コネクタ２２の嵌合方向に沿う方向の一方（雌コネクタ２２側）を前、他方を後と定義する。以上は雄コネクタ２１に関してである。雌コネクタ２２に関しては上記の前後、左右が雄コネクタ２１の定義と逆になるものとする。
【００２２】
オス側嵌合ロック部２８は、上記上面に突出する基部３０と、前後方向にのびるロックアーム３１と、嵌合用の第三ロック３２、３２（一方のみ図示、第一、第二及び第四のロックは後述する）とを備えて構成されている。基部３０は、直方体状のブロックに形成されており、奥壁２７の外面に連続するように形成されている。ロックアーム３１は、基部３０の前側中央に連成されており、上記上面に垂直な垂直壁３３と平行な平行壁３４とで断面視Ｔ字状に形成されている。第三ロック３２、３２（一方のみ図示）は、平行壁３４の端部に爪状に形成されており、また、後方に向けて次第に肉厚が厚くなるように形成されている（テーパを有することになる）。
【００２３】
オス側慣性ロック部２９は、ロックアーム３１を挟んだ両側（左右方向の両側）に形成されており、一対の突条３５、３５と、嵌合用の一対の第四ロック３６、３６とを備えて構成されている。突条３５、３５は、上記上面より突出形成されており、その後端が基部３０に連成されている。突条３５、３５の前端は、周壁２６の前端に連続するように形成されており、突条３５、３５の突出高さは、垂直壁３３の半分以下の高さに形成されている。また、突条３５、３５の突出方向の端面は平坦に形成されている（後述するロックアーム６２、６２が摺接する）。第四ロック３６、３６は、爪状の突起であって周壁２６の前端側に突出するように形成されている。また、突条３５、３５の脇に位置するように形成されている。
【００２４】
第四ロック３６、３６は、斜面３７、３７を有しており、その斜面３７、３７は基部３０側を向いて形成されている。斜面３７、３７には、後述する第二ロック６３、６３が摺接するようになっている。本形態において斜面３７、３７の傾斜角度は３０゜に設定されている（一例である）。
【００２５】
上記雄端子２４（図３参照、一つのみ図示）は、導電性を有するとともにタブ状に製造されており、奥壁２７を貫通して嵌合部２５内に突出するように配設されている。雄端子２４は、後述する雌端子３９（図３参照、一つのみ図示）と電気的に接続されるようになっている。
【００２６】
一方、上記雌コネクタ２２は、コネクタハウジング３８と、複数の雌端子３９（図３参照、一つのみ図示）と、パッキン４０とを備えている（パッキン４０は既知のものを使用しているので説明を省略する）。コネクタハウジング３８は、絶縁性を有する合成樹脂材により成形されており、雄コネクタ２１に対する嵌合部４１を有している。嵌合部４１は、コネクタハウジング３８の周壁４２と奥壁４３と端子収容部４４とで区画形成されており、そこに雄コネクタ２１の周壁２６が挿し込まれるようになっている。
【００２７】
周壁４２は、雄コネクタ２１の周壁２６の外形に合わせて略小判状の外形に形成されており、その開口縁には外方へ突出するフランジ４５が全周にわたって形成されている。また、周壁４２の上面には、ロック保護部４６とメス側嵌合ロック部４７とメス側慣性ロック部４８とが形成されている。
【００２８】
奥壁４３には、雌端子３９に対する端子挿通部４９と、メス側嵌合ロック部４７及びメス側慣性ロック部４８に対する基部５０とが形成されている。端子挿通部４９は、端子収容部４４に連通する円筒状に形成されている。
【００２９】
端子収容部４４には、雄端子２４に対する接続孔と雌端子３９を係止するランス５１とが形成されている。尚、上記接続孔が形成される部分は雌端子３９に対するストッパとしても機能する。
【００３０】
端子収容部４４に収容される雌端子３９は、導電性を有する金属板をプレス加工することにより形成されており、雄端子２４と接続し合う電気接触部と電線接続部とで構成されている。上記電気接触部は矩形箱状に形成されており、その内部には弾性接触片が設けられている。上記電線接続部は、上記電気接触部に連成されており、被覆を除去された電線５２の端末が接続されている。電線５２には、端子挿通部４９の内面に密着する防水ゴム栓５３が設けられている（雌コネクタ２２は防水コネクタでもある）。
【００３１】
ロック保護部４６は、周壁４２の上面を膨らませるようにして形成した保護フード５４と、基部５０を保護する隔壁５５、５５とで構成されている。また、フランジ４５には、保護フード５４内に連通する開口部５６が形成されている。開口部５６の形状は、雄コネクタ２１のオス側嵌合ロック部２８とオス側慣性ロック部２９との形状に合わせて形成されている。
【００３２】
メス側嵌合ロック部４７は、一対のロックアーム５７、５７と、嵌合用の一対の第一ロック５８、５８と、押さえ部５９とを有しており、雄コネクタ２１と雌コネクタ２２とのコネクタ嵌合の際に、オス側嵌合ロック部２８に嵌合するようになっている。ロックアーム５７、５７は、Ｕ字状の可撓湾曲部６０、６０と平板状の可撓平板部６１、６１とを有しており、可撓湾曲部６０、６０の一端が保護フード５４の内面に、また、他端が可撓平板部６１、６１の一端に連成されている。可撓湾曲部６０、６０は、その両端が拡開するような撓みを生じるように形成されている。
【００３３】
可撓平板部６１、６１は、コネクタハウジング３８の前後方向にのびるように形成されている。また、可撓平板部６１、６１の上記一端に対する他端は、基部５０の上端に連成されている。可撓平板部６１、６１は、基部５０に直交するように設けられている。
【００３４】
第一ロック５８、５８は、可撓平板部６１、６１の一端に爪状に形成されており、第三ロック３２、３２（一方のみ図示）に嵌合するようになっている。また、第三ロック３２、３２（一方のみ図示）の上記テーパに突き当たるようになっている（突き当たった後にはそこを摺接する。第一ロック５８、５８が突き当たるとロックアーム５７、５７が弾性変形する）。
【００３５】
押さえ部５９は、可撓平板部６１、６１の間に連成されており、コネクタ嵌合の解除時に操作されるようになっている。また、押さえ部５９は、ロックアーム５７、５７を弾性変形させるためのボタンとして機能するようになっている。押さえ部５９を押下することで、ロックアーム５７、５７が弾性変形し第一ロック５８、５８の位置が変位するようになっている。これにより第一ロック５８、５８と第三ロック３２、３２との嵌合が解除されるようになる。
【００３６】
メス側慣性ロック部４８は、一対のロックアーム６２、６２と、嵌合用の一対の第二ロック６３、６３（一方のみ図示、以下同様）とを有しており、雄コネクタ２１と雌コネクタ２２とのコネクタ嵌合の際に、オス側慣性ロック部２９に嵌合するようになっている。ロックアーム６２、６２は、メス側嵌合ロック部４７のロックアーム５７、５７と同様のＵ字状の可撓湾曲部６４、６４と、棒状のアーム部６５、６５とを有しており、可撓湾曲部６４、６４の一端が保護フード５４の内面に、また、他端がアーム部６５、６５の一端に連成されている。
【００３７】
可撓湾曲部６４、６４は、その両端が近接するような撓みを生じるように形成されている（可撓湾曲部６０、６０の逆の撓み）。また、アーム部６５、６５は、コネクタハウジング３８の前後方向にのびるように形成されている。アーム部６５、６５の上記一端に対する他端は、可撓平板部６１、６１の側部に連成されている。
【００３８】
第二ロック６３、６３は爪状に形成されており、第四ロック３６、３６に嵌合するようになっている。また、第四ロック３６、３６に突き当たるようになっている（第二ロック６３、６３が第四ロック３６、３６に突き当たるとロックアーム６２、６２が弾性変形する）。第二ロック６３、６３は、第四ロック３６、３６の斜面３７、３７に対応する斜面６６、６６を有している（一方のみ図示。斜面３７、３７を摺接することができれば斜面６６、６６でなくてもよい）。
【００３９】
上記構成において、雄コネクタ２１と雌コネクタ２２とのコネクタ嵌合の際の作用を説明する。説明は図３から図６までを順に参照しながら行うものとする。尚、図３はコネクタ嵌合開始時の断面図、図４はコネクタ嵌合途中時（第二ロックと第四ロックの嵌合途中）の断面図、図５はコネクタ嵌合途中時（第一ロックと第三ロックの嵌合途中）の断面図、図６はコネクタ嵌合完了時の断面図を示している。
【００４０】
図３において、雌コネクタ２２を雄コネクタ２１にコネクタ嵌合させると、図３（ａ）、図３（ｂ）に示される如く、雌コネクタ２２の嵌合部４１内に雄コネクタ２１の周壁２６が挿し込まれ、また、雄コネクタ２１の嵌合部２５内に雌コネクタ２２の端子収容部４４が挿し込まれる。そして、第四ロック３６、３６（一方のみ図示。以下、引用符号を二つならべたものは同様とする）に第二ロック６３、６３が突き当たるまでコネクタ嵌合を続けると、その突き当たりにより嵌合抵抗が生じ、その嵌合抵抗に打ち勝つように雌コネクタ２２を押し込むとコネクタ嵌合が進行する。尚、この時、雄端子２４の先端は端子収容部４４の上記接続孔に係入する位置にある。
【００４１】
図４において、上記ロックアーム６２、６２は上記突条３５、３５の上面を摺接する状態になっているから、上記嵌合抵抗に打ち勝つ大きさの力で雌コネクタ２２を押し込むと、図４（ｂ）に示される如く、ロックアーム６２、６２が上方に弾性変形する。そして、第二ロック６３、６３が第四ロック３６、３６を乗り越え斜面６６、６６と斜面３７、３７とが接触すると、弾性変形により生じた慣性力が斜面３７、３７に掛かりコネクタ嵌合が促進される（慣性力が作用することにより、雌コネクタ２２が正規の嵌合状態へ移動しやすくなる）。尚、斜面６６、６６と斜面３７、３７とが摺接し合ってメス側慣性ロック部４８とオス側慣性ロック部２９との嵌合が完了すると（図５（ｂ）、図６（ｂ）参照）、コネクタ嵌合がさらに進行するのは勿論のこと作業者には節度感が得られるようになる。
【００４２】
一方、第二ロック６３、６３が第四ロック３６、３６を乗り越えた時、図４（ａ）に示される如く、第一ロック５８、５８が第三ロック３２、３２の上記テーパに突き当たる。これにより、上記慣性力の間接的な作用も相まってロックアーム５７、５７が下方に弾性変形し、第一ロック５８、５８が第三ロック３２、３２を乗り越えようとする。尚、この時、雄端子２４の先端は雌端子３９の上記弾性接触片に接触する直前の位置にある。
【００４３】
図５において、雌コネクタ２２を押し込みさらにコネクタ嵌合を進めると、図５（ａ）に示される如く、ロックアーム５７、５７が下方に大きく弾性変形し、第一ロック５８、５８が完全に第三ロック３２、３２に対して乗り上がる。そして、図６（ａ）に示される如く、さらにコネクタ嵌合を進めると、第三ロック３２、３２が第一ロック５８、５８を乗り越えて互いに嵌合し合い、一連のコネクタ嵌合が完了する（雄端子２４と雌端子３９との接続も完了する）。
【００４４】
尚、コネクタ嵌合を解除する場合には、押さえ部５９を押下して第一ロック５８、５８の位置を変位させれば第一ロック５８、５８と第三ロック３２、３２との嵌合が解除され、雌コネクタ２２を雄コネクタ２１から引き抜くことができるようになる。その最中、第二ロック６３、６３が第四ロック３６、３６に当接するが、斜面６６、６６及び斜面３７、３７によってロックアーム６２、６２が上方に容易に弾性変形し、スムーズに嵌合解除が行われる。また、図７に示される如く、押さえ部５９を押下した状態でコネクタ嵌合をさせると、第一ロック５８、５８と第三ロック３２、３２との嵌合による節度感は得られないが、メス側慣性ロック部４８とオス側慣性ロック部２９との嵌合が確実に行われるので、コネクタ嵌合が半嵌合になってしまうことはない。
【００４５】
以上説明したように、押さえ部５９を押下した状態でコネクタ嵌合をしても、メス側慣性ロック部４８とオス側慣性ロック部２９との作用で慣性力を得ることができる。従って、コネクタ嵌合時に慣性力が確実に得られ、半嵌合を防止することができる。
【００４６】
その他、本発明は本発明の主旨を変えない範囲で種々変更実施可能なことは勿論である。
【００４７】
【発明の効果】
以上説明したように、請求項１に記載された本発明によれば、コネクタ嵌合を解除するための押さえ部をメス側嵌合ロック部に形成していることから、押さえ部を押下した状態でコネクタ嵌合をしても、メス側慣性ロック部とオス側慣性ロック部との作用で慣性力を得ることができる。
従って、コネクタ嵌合時に慣性力が確実に得られ、半嵌合を防止することができるという効果を奏する。
【００４８】
請求項２に記載された本発明によれば、第二ロックと第四ロックとにコネクタ嵌合の解除時やロックアームの復元時に摺接する斜面をそれぞれ形成していることから、コネクタ嵌合の解除時に嵌合抵抗を低くすることができる。これにより第二ロックと第四ロックとの嵌合をスムーズに解除することができる。また、ロックアームの復元時には、慣性力を第四ロックの斜面に掛けて一方のコネクタを正規の嵌合状態の方向へ移動させやすくすることができる。従って、請求項１に記載された発明の効果の他に以上の効果も得られるようになる。
【００４９】
請求項３に記載された本発明によれば、第一ロックと第三ロックとの突き当たりよりも先に突き当たる位置に第二ロックと第四ロックとをそれぞれ形成していることから、コネクタ嵌合時の嵌合抵抗を抑えることができる。また、ロックアームの復元時に、慣性力によって第一ロックと第三ロックとの嵌合を促進することができる。従って、請求項１又は請求項２に記載された発明の効果の他に以上の効果も得られるようになる。
【図面の簡単な説明】
【図１】本発明による慣性ロック式コネクタの一実施の形態を示す斜視図である。
【図２】メス側嵌合ロック部及びメス側慣性ロック部と、オス側嵌合ロック部及びオス側慣性ロック部との嵌合前の状態を示す拡大斜視図である。
【図３】コネクタ嵌合開始時の断面図であり、（ａ）はメス側嵌合ロック部とオス側嵌合ロック部の状態を示す断面図、（ｂ）はメス側慣性ロック部とオス側慣性ロック部の状態を示す断面図である。
【図４】コネクタ嵌合途中時（第二ロックと第四ロックの嵌合途中）の断面図であり、（ａ）はメス側嵌合ロック部とオス側嵌合ロック部の状態を示す断面図、（ｂ）はメス側慣性ロック部とオス側慣性ロック部の状態を示す断面図である。
【図５】コネクタ嵌合途中時（第一ロックと第三ロックの嵌合途中）の断面図であり、（ａ）はメス側嵌合ロック部とオス側嵌合ロック部の状態を示す断面図、（ｂ）はメス側慣性ロック部とオス側慣性ロック部の状態を示す断面図である。
【図６】コネクタ嵌合完了時の断面図であり、（ａ）はメス側嵌合ロック部とオス側嵌合ロック部の状態を示す断面図、（ｂ）はメス側慣性ロック部とオス側慣性ロック部の状態を示す断面図である。
【図７】押さえ部を押下した際のメス側嵌合ロック部及びメス側慣性ロック部と、オス側嵌合ロック部及びオス側慣性ロック部の状態を示す拡大斜視図である。
【図８】従来例の慣性ロック式コネクタのコネクタ嵌合前の断面図である。
【図９】従来例の慣性ロック式コネクタのコネクタ嵌合後の断面図である。
【符号の説明】
２１  雄コネクタ（他方のコネクタ）
２２  雌コネクタ（一方のコネクタ）
２８  オス側嵌合ロック部
２９  オス側慣性ロック部
３０  基部
３１  ロックアーム
３２  第三ロック
３５  突条
３６  第四ロック
３７  斜面
４６  ロック保護部
４７  メス側嵌合ロック部
４８  メス側慣性ロック部
５７  ロックアーム
５８  第一ロック
５９  押さえ部
６２  ロックアーム
６３  第二ロック
６６  斜面
【図１】
0003648432.tif 000002
【図２】
0003648432.tif 000003
【図３】
0003648432.tif 000004
【図４】
0003648432.tif 000005
【図５】
0003648432.tif 000006
【図６】
0003648432.tif 000007
【図７】
0003648432.tif 000008
【図８】
0003648432.tif 000009
【図９】
0003648432.tif 000010